(57)【要約】  受信器は、通信チャネル上において複数の信号伝送を受信する。前記複数の信号伝送は、複数の送信パワーを用いて送信される。各前記送信パワーは、前記受信器にとって未知の共通送信パワー項を共有するとともに、前記受信器にとって既知の複数の信号固有パワーオフセットを共有する。前記受信器は、前記受信パワーを測定する。対応する既知のパワーオフセットが前記測定した受信信号パワーから減算され、対応する前記未知の共通送信パワー項の推定結果が得られる。これにより、前記共通送信パワー項の複数の推定結果が得られる。前記共通送信パワー項の複数の推定結果から、高精度共通送信パワー項が得られる。前記複数の信号固有パワーオフセットを前記高精度共通送信パワー項に対して加算することにより、複数の高精度測定受信信号パワーが推定される。前記高精度共通送信パワー項に基づき、前記無線通信システムの機能を調整する。【選択図】図４
2016503621.tif 000002
【特許請求の範囲】
【請求項１】
無線通信システムにおいて実装可能な方法であって、
受信器において通信チャネル上で複数の信号送信を受信するステップであって、前記複数の信号送信は複数の送信パワーを用いて送信され、各前記送信パワーは前記受信器にとって未知の共通送信パワー項および前記受信器にとって既知の複数の信号固有パワーオフセットを共有する、ステップ、
前記受信器における受信パワーを測定するステップ、
対応する既知のパワーオフセットを前記測定した受信信号パワーから減算して、対応する前記未知の共通パワー項の推定結果を取得し、これにより前記共通送信パワー項の複数の推定結果を取得するステップ、
前記複数の共通送信パワー項の推定結果から高精度共通送信パワー項を推定するステップ、
前記複数の信号固有パワーオフセットを前記高精度共通送信パワー項に対して加算することにより、複数の高精度測定受信信号パワーを取得するステップ、
前記高精度共通送信パワー項に基づき、前記無線通信システムの機能を調整するステップ、
を有することを特徴とする方法。
【請求項２】
前記複数の信号送信は、異なる周波数リソースを用いる
ことを特徴とする請求項１記載の方法。
【請求項３】
前記複数の信号送信は、異なる時間リソースを用いる
ことを特徴とする請求項１記載の方法。
【請求項４】
前記無線通信システムの機能は、受信器からの以後の信号送信において用いられる信号コンステレーションおよびチャネル符号化レートを含む
ことを特徴とする請求項１記載の方法。
【請求項５】
前記受信器は、前記無線通信システムにおけるネットワーク側ノードであり、
前記調整するステップはさらに、前記受信器からの以後の信号送信パワーを調整するステップを含む
ことを特徴とする請求項４記載の方法。
【請求項６】
前記受信器は、前記無線通信システムにおけるネットワーク側ノードであり、
前記調整するステップは、前記受信器からの送信スケジュールを調整するステップを含む
ことを特徴とする請求項１記載の方法。
【請求項７】
前記受信器は、前記無線通信システムにおけるユーザ機器であり、
前記調整するステップは、ネットワーク側ノードに対してチャネル品質レポートを提供するステップを含む
ことを特徴とする請求項１記載の方法。
【請求項８】
前記受信器は、前記無線通信システムにおけるユーザ機器であり、
前記調整するステップは、前記ユーザ機器からの以後の信号送信パワーを調整するステップを含む
ことを特徴とする請求項１記載の方法。
【請求項９】
前記受信器は、前記無線通信システムにおけるユーザ機器であり、
前記調整するステップは、ネットワーク側ノードに対して受信パワー値を提供するステップを含む
ことを特徴とする請求項１記載の方法。
【請求項１０】
前記高精度共通送信パワー項を推定するステップは、前記複数の推定結果に対してカルマンフィルタリングを実施するステップを含む
ことを特徴とする請求項１記載の方法。
【請求項１１】
前記高精度共通送信パワー項を推定するステップは、前記複数の推定結果に対して適応フィルタリングを実施するステップを含む
ことを特徴とする請求項１記載の方法。
【請求項１２】
前記複数の信号送信は、データ送信および基準信号送信を含む
ことを特徴とする請求項１記載の方法。
【請求項１３】
前記調整するステップは、前記受信器から送信器に対して、以後のコンステレーション、符号化レート、または送信パワーを変更するようリクエストするステップを含む
ことを特徴とする請求項１記載の方法。
【請求項１４】
前記受信器は、前記無線通信システムにおけるネットワーク側ノードであり、
前記調整するステップは、前記受信器に対する以後の送信パワーを調整するステップを含む
ことを特徴とする請求項１記載の方法。
【請求項１５】
前記受信器は、前記無線通信システムにおけるネットワーク側ノードであり、
前記調整するステップは、前記受信器に対する送信スケジュールを調整するステップを含む
ことを特徴とする請求項１記載の方法。
【請求項１６】
無線通信システムにおいて動作可能な無線通信装置であって、
通信チャネル上で複数の信号送信を受信する受信器であって、前記複数の信号送信は複数の送信パワーを用いて送信され、各前記送信パワーは前記受信器にとって未知の共通送信パワー項および前記受信器にとって既知の複数の信号固有パワーオフセットを共有する、受信器、
前記受信器における受信パワーを測定する、パワー測定器、
対応する既知のパワーオフセットを前記測定した受信信号パワーから減算して、対応する前記未知の共通パワー項の推定結果を取得し、これにより前記共通送信パワー項の複数の推定結果を取得する、減算器、
前記複数の共通送信パワー項の推定結果から高精度共通送信パワー項を推定する、推定器、
前記複数の信号固有パワーオフセットを前記高精度共通送信パワー項に対して加算することにより、複数の高精度測定受信信号パワーを取得する、高精度パワー計算器、
前記高精度共通送信パワー項に基づき、前記無線通信システムの機能を調整する、調整器、
を備えることを特徴とする無線通信装置。
【請求項１７】
前記複数の信号送信は、異なる周波数リソースを用いる
ことを特徴とする請求項１６記載の無線通信装置。
【請求項１８】
前記複数の信号送信は、異なる時間リソースを用いる
ことを特徴とする請求項１６記載の無線通信装置。
【請求項１９】
前記無線通信システムの前記機能は、前記無線通信装置からの以後のダウンリンク信号送信において用いられる信号コンステレーションおよびチャネル符号化レートを含む
ことを特徴とする請求項１６記載の無線通信装置。
【請求項２０】
前記受信器は、前記無線通信システムにおけるネットワーク側ノードであり、
前記調整器はさらに、前記受信器からの以後の信号送信パワーを調整する
ことを特徴とする請求項１６記載の無線通信装置。
【請求項２１】
前記受信器は、前記無線通信システムにおけるネットワーク側ノードであり、
前記調整器はさらに、前記受信器からの信号送信スケジュールを調整する
ことを特徴とする請求項１６記載の無線通信装置。
【請求項２２】
前記受信器は、前記無線通信システムにおけるユーザ機器であり、
前記調整器はさらに、前記無線通信システムに対してチャネル品質レポートを提供する
ことを特徴とする請求項１６記載の無線通信装置。
【請求項２３】
無線通信システムにおいて実装可能な方法をプロセッサに実行させるコードを格納してコンピュータ読取可能媒体を含むコンピュータプログラム製品であって、前記方法は、
受信器において通信チャネル上で複数の信号送信を受信するステップであって、前記複数の信号送信は複数の送信パワーを用いて送信され、各前記送信パワーは前記受信器にとって未知の共通送信パワー項および前記受信器にとって既知の複数の信号固有パワーオフセットを共有する、ステップ、
前記受信器における受信パワーを測定するステップ、
対応する既知のパワーオフセットを前記測定した受信信号パワーから減算して、対応する前記未知の共通パワー項の推定結果を取得し、これにより前記共通送信パワー項の複数の推定結果を取得するステップ、
前記複数の共通送信パワー項の推定結果から高精度共通送信パワー項を推定するステップ、
前記複数の信号固有パワーオフセットを前記高精度共通送信パワー項に対して加算することにより、複数の高精度測定受信信号パワーを取得するステップ、
前記高精度共通送信パワー項に基づき、前記無線通信システムの機能を調整するステップ、
を有することを特徴とするコンピュータプログラム製品。
【請求項２４】
前記複数のアップリンク信号送信は、異なる周波数リソースを用いる
ことを特徴とする請求項２３記載のコンピュータプログラム製品。
【請求項２５】
前記ダウンリンク信号送信パラメータは、当該ダウンリンク信号送信において用いられる信号コンステレーションを含む
ことを特徴とする請求項２３記載のコンピュータプログラム製品。
【請求項２６】
前記受信器は、前記無線通信システムにおけるネットワーク側ノードであり、
前記調整するステップは、前記受信器からの以後の信号送信の信号コンステレーションまたは信号パワーを調整するステップを含む
ことを特徴とする請求項２３記載のコンピュータプログラム製品。
【請求項２７】
前記受信器は、前記無線通信システムにおけるネットワーク側ノードであり、
前記調整するステップは、前記受信器からの信号送信スケジュールを調整するステップを含む
ことを特徴とする請求項２３記載のコンピュータプログラム製品。
【請求項２８】
前記受信器は、前記無線通信システムにおけるユーザ機器であり、
前記調整するステップは、前記無線通信システムに対してチャネル品質レポートを提供するステップを含む
ことを特徴とする請求項２３記載のコンピュータプログラム製品。
【請求項２９】
送信器と受信器を有する無線通信システムであって、
前記送信器は、複数の無線信号を送信するように構成されており、
前記受信器は、
通信チャネル上で前記複数の信号送信を受信するステップであって、前記複数の信号送信は複数の送信パワーを用いて送信され、各前記送信パワーは前記受信器にとって未知の共通送信パワー項および前記受信器にとって既知の複数の信号固有パワーオフセットを共有する、ステップ、
前記受信器における受信パワーを測定するステップ、
対応する既知のパワーオフセットを前記測定した受信信号パワーから減算して、対応する前記未知の共通パワー項の推定結果を取得し、これにより前記共通送信パワー項の複数の推定結果を取得するステップ、
前記複数の共通送信パワー項の推定結果から高精度共通送信パワー項を推定するステップ、
前記複数の信号固有パワーオフセットを前記高精度共通送信パワー項に対して加算することにより、複数の高精度測定受信信号パワーを取得するステップ、
前記高精度共通送信パワー項に基づき、前記無線通信システムの機能を調整するステップ、
を実行するように構成されている
ことを特徴とする無線通信システム。
【発明の詳細な説明】
【技術分野】
【０００１】
＜関連出願への相互参照＞
本特許文献は、２０１２年１２月１７日に出願された米国仮出願第６１／７３８，２３２号の優先権を主張する。同特許出願の全内容は、参照により本願の一部として組み込まれる。
【０００２】
本文献は、無線通信技術および無線通信システムにおけるデバイスに関する。
【背景技術】
【０００３】
移動体通信システムは、例えば音声サービス、携帯ブロードバンドデータサービス、およびマルチメディアサービスを含む無線通信サービスを提供する。様々な要因により、移動体帯域幅に対するニーズが増している。これは、ネットワーク上に接続された例えばスマートフォンなどの携帯電話の台数が増え続けていること、および映像や画像をともなうモバイルアプリケーションなどのように大量のデータを消費する新たなモバイルアプリケーションが配信されていることを含む。モバイルシステム業者が、ネットワークに対して新たなモバイルデバイスを追加し、新たなモバイルアプリケーションを配信し、ブロードバンドモバイルサービスによってカバーされる地理的エリアを増やすのにともない、業者カバーエリアを高帯域幅接続によってカバーするニーズが増している。このような高帯域幅接続を満たす１つの方法は、異機種ネットワークを配置することである。異機種ネットワークにおいては、少なくとも部分的に、高送信パワーで動作するマクロベースステーションのカバーエリアの範囲内において、１以上の低パワーノードが配置される。
【発明の概要】
【発明が解決しようとする課題】
【０００４】
無線送信の受信器は、受信信号のパワーを推定し、動作効率を改善する。これは例えば自動ゲイン制御（ＡＧＣ）、チャネル特性を推定すること、他無線機器からのまたは他無線機器に対する干渉を抑制すること、などを含む。本文書が開示する技術を用いて、パワー推定の精度を改善し、演算の複雑さを抑えることができる。
【課題を解決するための手段】
【０００５】
１側面において、パワー推定を用いて無線システム性能を改善する方法および装置を開示する。受信器は、無線チャネル上において複数の信号伝送を受信する。前記複数の信号伝送は、複数の送信パワーを用いて送信される。各前記送信パワーは、前記受信器にとって未知の共通送信パワー項を共有するとともに、前記受信器にとって既知の複数の信号固有パワーオフセットを共有する。前記受信器は、前記受信パワーを測定する。対応する既知のパワーオフセットが前記測定した受信信号パワーから減算され、対応する前記未知の共通送信パワー項の推定結果が得られる。これにより、前記共通送信パワー項の複数の推定結果が得られる。前記共通送信パワー項の複数の推定結果から、高精度共通送信パワー項が得られる。前記複数の信号固有パワーオフセットを前記高精度共通送信パワー項に対して加算することにより、複数の高精度測定受信信号パワーが推定される。前記高精度共通送信パワー項に基づき、前記無線通信システムの機能を調整する。
【０００６】
これらおよびその他の側面、実装、および変形例は、以下の図面、詳細説明、および特許請求範囲で説明する。
【図面の簡単な説明】
【０００７】
【図１】無線ネットワーク構成を示す。
【０００８】
【図２】無線ステーションアーキテクチャを示す。
【０００９】
【図３】パワートラッキング構成のブロック図である。
【００１０】
【図４】無線通信プロセスのフローチャートである。
【００１１】
【図５】無線ネットワーク装置のブロック図である。
【発明を実施するための形態】
【００１２】
各図面内の同様の参照符号は同様の要素を示す。
【００１３】
無線通信受信器は、受信信号パワーを測定することができる。パワー測定は、様々な理由で実施することができる。例えばゲイン制御、チャネル推定、送信パラメータ調整、などである。パワー推定は通常、信号を受信する個々の物理通信チャネルに対応する個別のパワー推定メカニズムを用いて実施される。多くの無線通信システムにおいて、複数の物理通信チャネルがアップリンク方向とダウンリンク方向の双方で用いられる。本文書は、様々な物理チャネルが共有する計算および推定結果を識別する複数の技術を提供する。この情報を用いて、受信パワー推定の複雑さを抑えることができ、また受信パワー推定をより正確に実施することができる。
【００１４】
本文書は、無線通信信号の受信器において実装して無線通信システムの動作を改善することができるパワー推定技術を開示する。開示するパワー推定技術は、受信信号の共通性を利用して受信パワー推定を改善する。改善した受信パワー推定を用いて、通信チャネルをより正確に推定することができる。以下に詳細に説明するように、多くの通信信号の受信パワーは、既知項および未知項からの寄与分を有する。未知項は、経時変化し得る。未知項は、瞬間的チャネル特性に関連する場合がある。受信器は、異なるタイムスロットまたは周波数リソース（例えば、直交周波数領域多重（ＯＦＤＭ）システムにおける複数のサブキャリア）を用いる単一の送信器から、２以上の異なる信号伝送タイプを受信することができる。受信器は、異なるタイプの信号伝送から推定した未知項を個別にまたは組み合わせて用いることにより、受信信号パワー推定を改善することができる。これらおよびその他技術と利点について、本文書においてさらに説明する。
【００１５】
無線通信リンクにおいては、送信器と受信器が存在する。信号伝送において、送信器はある送信パワーにおいて信号を送信する。この送信パワーは、送信器の最大送信パワーによって制限される。送信器は、送信する特定の信号タイプまたは種類に応じて、複数の送信パワーレベルを用いて信号を送信することができる。例えば２つの異なる種類の信号は、未知のデータとパイロット信号（既知の信号）を含む信号である場合がある。異なる信号種類の送信パワーレベルは、様々な要因に応じて経時変化し得る。信号は、送信器の１以上の送信アンテナを介して送信される。
【００１６】
受信器にとって、異なる種類の受信信号の受信パワーを時間的にトラッキングすると便宜である。受信器は送信された信号種類を知っていると仮定し、また受信器はそれら信号を識別できると仮定する。受信器は、１つの受信アンテナが受信した信号パワーをトラッキングすることができ、あるいは複数の受信アンテナを組み合わせた信号パワーをトラッキングすることができる。トラッキングした受信パワーは、様々な目的で用いることができる。例えばデータ受信をアシストし、パワー制御コマンドを送信器に対して発行し、受信パワーレベルを予測し、移動体通信システムにおける複数の送信器をスケジューリングすることができる。
【００１７】
無線ネットワークのなかには、異なる物理送信チャネルを用いて様々な信号が送信されるものがある。例えば、モバイルデバイスなどのユーザ機器（ＵＥ）からネットワークに対するアップリンク方向の送信、およびネットワークからＵＥに対するダウンリンク方向の送信は、異なる物理送信チャネルにおいて生じる。動作中において、アップリンクおよびダウンリンク物理送信チャネルが同一または類似する周波数応答を有するという観点から、チャネルは“対称”である場合がある。物理送信チャネルの他例として、直交周波数領域多重などのようなマルチキャリア通信を用いる場合、物理チャネルは送信器が割り当てた時間−周波数リソースの組み合わせに対応する。例えばＬｏｎｇ  Ｔｅｒｍ  Ｅｖｏｌｕｔｉｏｎ（ＬＴＥ）システムは、様々な物理通信チャネルを規定する。例えば、アップリンク方向におけるｐｈｙｓｉｃａｌ  ｈｙｂｒｉｄ  ａｕｔｏｍａｔｉｃ  ｒｅｐｅａｔ  ｒｅｑｕｅｓｔ  ｉｎｄｉｃａｔｉｏｎ  ｃｈａｎｎｅｌ（ＰＨＩＣＨ）およびｐｈｙｓｉｃａｌ  ｕｐｌｉｎｋ  ｓｈａｒｅｄ  ｄａｔａ  ｃｈａｎｎｅｌ（ＰＵＳＣＨ）、ｐｈｙｓｉｃａｌ  ｄｏｗｎｌｉｎｋ  ｓｈａｒｅｄ  ｃｈａｎｎｅｌ（ＰＤＳＣＨ）、ｐｈｙｓｉｃａｌ  ｄｏｗｎｌｉｎｋ  ｃｏｎｔｒｏｌ  ｃｈａｎｎｅｌ（ＰＤＣＣＨ）、などである。
【００１８】
図１は、無線通信システムの例を示す。無線通信システムは、１以上のベースステーション（ＢＳ）１０５ａと１０５ｂを含む。これらはアクセスネットワーク１２５を形成するように連結され、１以上の無線デバイス１１０に対して無線サービスを提供する。ベースステーション１０５ａと１０５ｂは、無線サービスエリアの異なる場所に配置され、サービスエリアをセルに分割し、無線デバイス１１０に対して無線サービスを提供することができる。実施例において、ベースステーション（例えば１０５ａまたは１０５ｂ）は指向性アンテナを備え、２以上の指向性ビームを生成し、セル内の複数のセクタにおいて無線カバー範囲を提供する。
【００１９】
１以上のベースステーション１０５ａと１０５ｂを有するアクセスネットワーク１２５は、実施例において、他の無線通信システムおよび有線通信システムとの接続を提供するコアネットワーク（図１には示していない）と接続している。コアネットワークは、１以上のサービスサブスクリプションデータベースを備え、サービス提供を受ける無線デバイス１１０に関する情報を格納することができる。システムによっては、異なるベースステーションは異なる無線アクセス技術に基づき動作する。例えば図１において、第１ベースステーション１０５ａは第１無線アクセス技術に基づき無線サービスを提供するように構成し、第１ベースステーション１０５ｂは第１無線アクセス技術とは異なる第２無線アクセス技術に基づき無線サービスを提供するように構成することができる。ベースステーション１０５ａは、配置シナリオにしたがって、フィールド内に同一場所に配置することもできるし、別個に設置することもできる。その構成においては、アクセスネットワーク１２５は複数の無線アクセス技術をサポートする。
【００２０】
本技術およびシステムを実装することができる無線通信システムおよびアクセスネットワークの様々な例としては、ＣＤＭＡ２０００  １ｘなどのＣｏｄｅ  Ｄｉｖｉｓｉｏｎ  Ｍｕｌｔｉｐｌｅ  Ａｃｃｅｓｓ（ＣＤＭＡ）、Ｈｉｇｈ  Ｒａｔｅ  Ｐａｃｋｅｔ  Ｄａｔａ（ＨＲＰＤ）、ｅｖｏｌｖｅｄ  ＨＲＰＤ（ｅＨＲＰＤ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（ＵＴＲＡＮ）、Ｅｖｏｌｖｅｄ  ＵＴＲＡＮ（Ｅ−ＵＴＲＡＮ）、Ｌｏｎｇ−Ｔｅｒｍ  Ｅｖｏｌｕｔｉｏｎ（ＬＴＥ）などに基づく無線通信システムがある。実施例において無線通信システムは、異なる無線技術を用いる複数のネットワークを含むことができる。デュアルモードまたはマルチモード無線デバイスは、異なる無線ネットワークに接続するため用いることができる２以上の無線技術を含む。実施例において無線デバイスは、Ｓｉｍｕｌｔａｎｅｏｕｓ  Ｖｏｉｃｅ−Ｄａｔａ  Ｏｐｅｒａｔｉｏｎ（ＳＶ−ＤＯ）をサポートすることができる。ＣＤＭＡ２０００システムにおいて、コアネットワーク１２５は、モバイルスイッチングセンタ（ＭＳＣ）、Ｐａｃｋｅｔ  Ｄａｔａ  Ｓｅｒｖｉｎｇ  Ｎｏｄｅ（ＰＤＳＮ）などを含むことができる。
【００２１】
図２は、無線ステーション２０５の一部のブロック図である。無線ステーション２０５は、例えばベースステーションまたは無線デバイスである。無線ステーション２０５は、マイクロプロセッサなどのプロセッサ電子部品２１０を備える。プロセッサ２１０は、本文書が提供する１以上の無線通信技術を実装する。無線ステーション２０５はさらにトランシーバ電子部品２１５を備え、例えばアンテナ２２０などの１以上の通信インターフェース上で無線信号を送信および／または受信する。無線ステーション２０５は、データを送受信するその他通信インターフェースを備えることができる。無線ステーション２０５は、データおよび／または命令などの情報を格納するように構成された１以上のメモリを備えることができる。実施例においてプロセッサ電子部品２１０は、トランシーバ電子部品２１５の少なくとも一部を含むことができる。記載の簡単のため、図２においてアンテナ２２０は単一部品として示している。しかし構成によっては、以下に説明するように無線ステーション２０５は複数アンテナを備えることができる。
【００２２】
実施例において無線ステーション２０５は、ＣＤＭＡインターフェースに基づき互いに通信することができる。実施例において無線ステーション２０５は、直交周波数分割多重（ＯＦＤＭ）インターフェースに基づき互いに通信することができる。これはＯｒｔｈｏｇｏｎａｌ  Ｆｒｅｑｕｅｎｃｙ−Ｄｉｖｉｓｉｏｎ  Ｍｕｌｔｉｐｌｅ  Ａｃｃｅｓｓ（ＯＦＤＭＡ）インターフェースを含む。実施例において無線ステーション２０５は、１以上の無線技術を用いて通信することができる。例えばＣＤＭＡ２０００  １ｘなどのＣＤＭＡ、ＨＲＰＤ、ＷｉＭＡＸ、ＬＴＥ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）、３Ｇ、４Ｇ、その他現行もしくは今後登場する無線技術である。
【００２３】
一般に送信ポイントから受信ポイントへの信号パワー減衰は、異なる物理属性の組み合わせに起因する。例えば信号は、伝搬媒体（空気など）を介して減衰し得る。信号のスペクトル特性は、通信チャネルに起因して変化し得る。これにより所与の周波数バンドにおけるパワー量が変化する。信号は、受信チェーン（例えば無線フロントエンド）における部品を介しても減衰し得る。さらに、信号のスペクトル占有と送信チャネルの時間変化特性に基づき、異なる信号は異なる減衰を受ける場合がある。このセットにおける全種類の受信信号は、トラッキングに対する入力として用いることができる。このように観察量を増やすことにより、セットの全信号のトラッキング精度を改善することができる。例えばＬＴＥにおいて実施されるＯＦＤＭ送信において、所与のタイムスロットにおける２つの異なる信号送信は、異なるサブキャリアを占有し、よって異なる物理チャネル特性を有する。ただし、信号減衰または受信信号パワーは、これら異なる物理送信の共通減衰特性を識別することにより、モデル化することができる。
【００２４】
本文書が開示する技術は、１側面において、受信パワートラッキング精度を改善するのに役立つ。
【００２５】
実施形態において、全ての受信信号は、複数の論理セットへ分割することができる。所与のセット内に含まれる信号は、受信器にとって未知の同一項を有することができる。この項においてトラッキングを実施する。異なるセットにおける信号は、異なる既知のパワーオフセットを有する。
【００２６】
受信パワー推定は、既知のパワーオフセットを除去することにより、共通正規化パワー変数へ正規化される。この共通変数をトラッキングする。既知のパワーオフセットをトラッキングの出力に対して加算することにより、推定と予測を改善することができる。
【００２７】
以下の説明において、説明目的のみのため、Ｌｏｎｇ  Ｔｅｒｍ  Ｅｖｏｌｕｔｉｏｎ（ＬＴＥ）無線通信規格を用いる。説明する技術は、その他無線通信技術に対して適用することもできる。
【００２８】
ＬＴＥの実施形態において、ＬＴＥのＰＵＳＣＨおよび／またはＳＲＳ受信パワーのトラッキングを実施することができる。これら２種類の信号は、共通パワー項を共有する。この項は、ＵＥが推定した推定ダウンリンク経路ロスに基づく。これら２種類の信号は、異なる既知のパワーオフセットを有する。これらオフセットは、例えばパワー制御コマンドや送信帯域幅に起因して経時変化し得る。
【００２９】
送信器が送信するＭ個の異なる信号送信タイプの送信パワーは、下記数式で表すことができる：
【数１】
2016503621.tif 000003
説明する例における無線信号パワーは、特に言及しない限りｄＢスケールである。先に述べたように、未知のパワー項はＭ個の信号全てにおいて等しい。特定の時刻ｔ１において、Ｍ種類の信号のうち一部またはすべてが送信され、あるいは全く送信されない。送信器は、同一種類の複数信号を同時に送信することもできる。この場合は例えば、ＯＦＤＭのようなマルチキャリア送信方式における異なるサブキャリアを用いる。
【００３０】
１つの例はＬＴＥネットワークであり、送信器（ＵＥ）は以下の信号を送信する：
同時Physical Uplink のないPUSCH (Physical Uplink Shared Channel)
制御チャネル (PUCCH) 送信およびSRS (Sounding Reference Signal)。
【００３１】
同様にＬＴＥダウンリンクの場合において、ｅＮｏｄｅＢは以下の信号を送信する：
PDCCH (Physical downlink control channel) およびCRS (common reference signal)。
【００３２】
アップリンク送信の例において、式（１）のＭ＝２、ｍ＝１はＰＵＳＣＨに対応し、ｍ＝２はＳＲＳに対応する。
【００３３】
同時ＰＵＣＣＨ送信がない場合、セルｃのサブフレームｔにおけるＰＵＣＳＣＨについてのＵＥの送信パワー（すなわちＵＥが送信するパワーレベル）は、下記式で与えられる（ｄＢｍ）：
【数２】
2016503621.tif 000004
Ｍ１，ｃ（ｔ）は、セルｃのサブフレームｔにおけるリソースブロックのＰＵＳＣＨ帯域幅である。Ｐ１，ｃｏ（ｊ）は、ネットワークが提供するＰＵＳＣＨのパワーオフセットである。ｓｅｍｉ−ｐｅｒｓｉｓｔｅｎｔ  ｇｒａｎｔに対応するＰＵＳＣＨ（再）送信については、ｊ＝０である。ｄｙｎａｍｉｃ  ｓｃｈｅｄｕｌｅｄ  ｇｒａｎｔに対応するＰＵＳＣＨ（再）送信については、ｊ＝１である。ｒａｎｄｏｍ  ａｃｃｅｓｓ  ｒｅｓｐｏｎｓｅ  ｇｒａｎｔに対応するＰＵＳＣＨ（再）送信については、ｊ＝２である。αｃ（ｊ）は、ネットワークが提供するパラメータであり、αｃ（０）＝αｃ（１）である。パラメータはあらかじめ提供することもできるし、上位層メッセージによって提供することもできる。ＰＬｃは、セルｃについての推定ダウンリンク経路ロスである。パラメータΔＴＦ，ｃ（ｔ）は、ネットワークが提供するＰＵＳＣＨについてのパワーオフセットである。パラメータｆｃ（ｔ）は、ネットワークが提供するパワーオフセットである。パラメータθ（ｘ）は、逆ステップ関数である（ｘ＞０であれば＝０であり、それ以外であれば＝１である）。パラメータＰＨ１，ｃ（ｔ）は、セルｃのサブフレームｔにおけるＰＵＳＣＨパワーヘッドルームであり、ＵＥからネットワークに対するレポート値に基づいている。
【００３４】
セルインデックスｃを用いて、例えばキャリアアグリゲーションにおけるキャリアを識別することができる。セルインデックスｃは、複数キャリアに対応させることもできる。推定ダウンリンク経路ロスＰＬｃは通常、ゆっくり経時変化する。すなわち、サブフレーム間ではほとんど変化しない。
【００３５】
実施例において、式（２）のうち以下の項はネットワークにとって既知である：１０ｌｏｇ１０Ｍ１，ｃ（ｔ）、Ｐ１，ｃｏ（ｊ）、ΔＴＦ，ｃ（ｔ）、ｆｃ（ｔ）、θ（ＰＨ１，ｃ（ｔ））。αｃ（ｊ）ＰＬｃは、ネットワーク（すなわち受信器）にとって未知である。このことは、ＰＵＳＣＨ（ｍ＝１）について以下が成り立つことを意味する：
【数３】
2016503621.tif 000005
【数４】
2016503621.tif 000006
【００３６】
ＰＵＳＣＨ送信パワーと同様に、セルｃのサブフレームｔにおけるＳＲＳ送信パワーは下記式で与えられる（ｄＢｍ）：
【数５】
2016503621.tif 000007
Ｍ２，ｃ（ｔ）は、セルｃのサブフレームｔにおけるリソースブロックのＳＲＳ帯域幅である。
Ｐ２，ｃｏは、ネットワークが提供するＳＲＳのパワーオフセットである。
αｃ＝αｃ（０）＝αｃ（１）は、ネットワークが提供するパラメータである。
ＰＬｃは、セルｃについての推定ダウンリンク経路ロスである。
ｆｃ（ｔ）は、ネットワークが提供するパワーオフセットである。
ＰＨ２，ｃ（ｔ）は、セルｃのサブフレームｔにおけるＳＲＳパワーヘッドルームであり、ＵＥからネットワークに対するレポート値に基づいている。
【００３７】
上記パラメータのうちいくつかは、式（２）で説明したものと同一である。
【００３８】
上記説明と同様に、以下の項はネットワーク（すなわち受信器）にとって既知である：１０ｌｏｇ１０Ｍ２，ｃ（ｔ）、Ｐ２，ｃｏ（ｊ）、ｆｃ（ｔ）、θ（ＰＨ２，ｃ（ｔ））。
【００３９】
以下の項は、ネットワーク（すなわち受信器）にとって未知である：αｃＰＬｃ。このことは、ＳＲＳ（ｍ＝２）において以下が成り立つことを意味する：
【数６】
2016503621.tif 000008
【数７】
2016503621.tif 000009
【００４０】
式（７）と式（４）を比較すると、Ｐｕｎｋｎｏｗｎ（ｔ）はＰＵＳＣＨ（同時ＰＵＣＣＨ送信なし、ｊ＝０または１）とＳＲＳの双方において等しいことが分かる。このことは、これら２つの信号が式（１）の一般モデルにしたがうことを意味する。
【００４１】
【数８】
2016503621.tif 000010
【００４２】
広帯域信号について、これらパワーと減衰は、広帯域全体の平均を示し、または広帯域の範囲内における狭帯域についてのパワーと減衰を示す。
【００４３】
パワーと減衰は、高速送信パワー変化および高速無線チャネル減衰に起因する高速時間変化を示す場合がある。パワーと減衰は、低速送信パワー変化および低速無線チャネル減衰（大規模減衰）に起因する低速時間変化を示す場合もある。後者の場合（低速変化）において、これらは低速変化する高速時間変化の時間平均にしたがう。
【００４４】
無線チャネル減衰項は、その他の時間変化要因を含む場合がある。例えば不均一アンテナゲインや、時間変化する送信器特性および受信器特性である。通常の無線ネットワークにおいて、受信器は時刻ｔにおいて送信された信号の種類を知っているかまたは検出することができる。
【００４５】
ＬＴＥ実施例において、セルｃのサブフレームｔにおけるＰＵＳＣＨ（同時送信なし、ｊ＝０または１）とＳＲＳについての平均受信パワーは、下記式で与えられる：
【数９】
2016503621.tif 000011
ｍ＝１はＰＵＳＣＨに対応し、ｍ＝２はＳＲＳに対応する。この例においてＭ＝２である。アップリンク経路ロスＰＬｃＵＬ（ｔ）（低速無線チャネル減衰）は、セルｃについて用いられる周波数バンドおよび高速時間減衰にまたがった平均であり、したがってゆっくり変化する。
【００４６】
【数１０】
2016503621.tif 000012
【００４７】
【数１１】
2016503621.tif 000013
Ｃ（ｔ）＝Ｐｕｎｋｎｏｗｎ（ｔ）−Ａ（ｔ）は、Ｍ種類の信号間で共通な項を示す。実施形態において、Ｐｕｎｋｎｏｗｎ（ｔ）はＭ種類の信号間で等しいと仮定することができる。
【００４８】
Ｍ種類の受信信号に基づき、変数Ｃ（ｔ）を時間的にトラッキングすることができる。トラッキングは、本文書において記載の簡易のため記載していない様々な適応フィルタリングまたはデータ融合アルゴリズム（例えばカルマンフィルタリング）を含むことができる。推定ノイズｎｍ（ｔ）は、ｍとｔが異なれば異なる特性（例えば分散などの統計的特性）を有する場合がある。受信器はこれら特性を推定し、Ｃ（ｔ）のトラッキングを改善するために用いることができる。実施形態において、Ｃ（ｔ）をトラッキングする性能は、ＰｍＲｘ（ｔ）をトラッキングする性能よりも優れている傾向がある。Ｍ種類の信号全てについてＰｍＲｘ（ｔ）を観察することは、Ｃ（ｔ）のトラッキングと組み合わせることができるからである。
【００４９】
【数１２】
2016503621.tif 000014
【００５０】
【数１３】
2016503621.tif 000015
【００５１】
Ｃ（ｔ）のトラッキングは、予測を含むこともできる。例えばＣ（ｔ＋Δｔ）の予測である。したがって種類ｍの信号についての受信パワーは、下記式により予測することができる：
【数１４】
2016503621.tif 000016
時刻ｔ＋Δｔにおけるパワーオフセットは既知であるものとする。
【００５２】
図３は、受信器におけるパワートラッキングデバイス３００の例を示す。デバイス３００は、パワー推定機能３０２と３０４を備える。これらを用いて計算を実施し、以下に説明するようにパワートラッキング機能３０６に対する入力を提供する。図面における文字は、以下の変数に対応する：
【数１５】
2016503621.tif 000017
【００５３】
Ｍ個の異なる信号タイプを処理しているとき、対応するＭ個のパワー推定器３０２と３０４が存在し得る。Ｍは正整数である。
【００５４】
動作中において、受信器は送信器が送信した異なる種類の信号を異なる時刻において受信する。これら信号は一般に、異なる物理通信チャネル上で送信され、受信器にとって未知のパワーレベルで受信される。ただし受信パワーレベルは、未知の成分と既知の成分を有する場合がある（ともに送信チャネル上においていくらか減衰している）。
【００５５】
図３は、受信信号がＭ種類のうちいずれかである構成を反映している（例えば図３におけるａまたはｆ）。この場合、信号パワー（図３におけるｂまたはｇ）を推定するとともに、推定ノイズの特性（図３におけるｃまたはｈ）を推定する。既知のパワー成分（図３におけるｄまたはｉ）は推定パワーから減算され、正規化パワー推定結果（図３におけるｅまたはｊ）が得られる。これら正規化パワー推定結果を用いて、共通変数Ｃ（ｔ）をトラッキングすることができる。この変数の推定結果は、トラッキングの出力（図３における変数ｋ）となる。対応するトラッキングした受信パワー値（図３におけるｎとｑ）を取得するため、既知のパワーオフセット（図３におけるｌとｐ）を加算することにより正規化を反転する。
【００５６】
送信器は、異なる時刻または周波数において異なる種類の信号を送信する場合がある。例えばＬＴＥにおいて、ＵＥは、ベースステーションが明示的または暗黙的に通知したスケジュールにしたがって、異なる時刻においてデータ（例えばＰＵＳＣＨ）または基準信号（例えばＳＲＳ）を送信する場合がある。送信器が信号を全く送信しない時刻もある。したがって、トラッキングユニット（例えば図３におけるｃ、ｅ、ｈ、ｊ）に対する入力は、受信パワー推定とこれに対応する推定エラー特性が入手可能な特定の時刻においてのみ提供される場合がある。トラッキングユニットは、これら異なる入力をタイムウインドウ（例えば１０個や１００個などの複数のサブフレーム）にまたがって収集することができる。これらは、異なる時刻において出力推定に対する異なるエラー特性をともなって提供される。この推定結果を用いて、当該信号タイプの既知のパワーオフセット（図３におけるｐ）を加算することにより、次の送信の受信パワー（例えば図３におけるｑ）を予測することができる。
【００５７】
先に説明したＬＴＥの例に戻る。説明目的のみのため、特定の例について述べる。２つの異なる種類の信号を考慮する（Ｍ＝２）。ｍ＝１はＰＵＳＣＨに対応し、ｍ＝２はＳＲＳに対応する。
【００５８】
ＵＥは、セルｃのサブフレームｔの間に、ＰＵＳＣＨとＳＲＳをともに送信するものと仮定する。
【数１６】
2016503621.tif 000018
【００５９】
【数１７】
2016503621.tif 000019
【００６０】
受信パワーは、以下の式にしたがって再正規化することにより推定することができる：
【数１８】
2016503621.tif 000020
【００６１】
【数１９】
2016503621.tif 000021
【００６２】
【数２０】
2016503621.tif 000022
【００６３】
図４は、無線通信システムにおいて実装できるプロセス４００のフローチャートの例を示す。プロセス４００は、ベースステーションやユーザ機器またはその双方などの受信器側において様々な構成で実装することができる。
【００６４】
ステップ４０２において、受信器は通信チャネル上で複数の信号送信を受信する。実施例において、複数の信号送信は複数の送信パワーを用いて送信される。各送信パワーは、受信器にとって未知な共通送信パワー項（値）と、受信器にとって既知な複数の信号固有パワーオフセットとの組み合わせである。
【００６５】
例えば上記様々な基準信号などのような様々な構成において、複数の信号送信は異なる周波数リソースを用いることができる（例えばＯＦＤＭシステムの複数のサブキャリア）。構成例として、複数の信号送信は、異なる時間リソースを用いることができる。例えば、時間領域多重（ＴＤＤ）無線通信システムにおける異なるタイムスロットである。
【００６６】
先の例において説明したように、複数の信号送信は基準信号を含むことができる。複数の信号送信は、データ送信を含むこともできる。
【００６７】
ステップ４０４において、受信器は受信パワーを測定する。実施形態において、受信パワーは様々な利用可能技術のうちいずれか１つを用いて測定される（例えばバンドパスフィルタリング、時間平均、積分、など）。
【００６８】
ステップ４０６において、対応する既知のパワーオフセットを、測定した受信信号パワーから減算し、未知の共通パワー項についての対応する推定結果が得られる。これにより共通送信パワー項についての複数の推定結果が得られる。先に説明したように、多くの無線信号（例えばＬＴＥアップリンクにおけるＰＵＳＣＨやＳＲＳ、ＬＴＥダウンリンクにおける物理ダウンリンク制御チャネル（ＰＤＣＣＨ）や共通基準信号（ＣＲＳ））は、既知のパワーレベルを有する。
【００６９】
ステップ４０８において、共通送信パワー項の複数の推定結果から、高精度な共通送信パワー項を推定する。１構成例として、共通送信パワー項の高精度推定は、図３で説明したように実施することができる。高精度推定結果は、複数推定結果のカルマンフィルタリングなどの信号処理技術を用いて得ることができる。実施例において、高精度推定結果は複数推定結果を適応フィルタリングすることにより得られる。
【００７０】
ステップ４１０において、複数の信号固有パワーオフセットを高精度共通パワー項に対して加算することにより、複数の高精度測定受信信号パワーを取得する。１構成例として高精度測定受信信号パワーは、図３で説明したようにして取得することができる。
【００７１】
ステップ４１２において、高精度共通送信パワー項に基づき、無線通信システムの機能を調整する。実施例において、上記機能は送信器側の動作パラメータに関する。例えば送信器からの送信スケジュールである。実施例において、上記機能は受信器側の動作パラメータに関する。例えばゲイン制御の調整、チャネル推定の改善、送信器から送信する所望の信号コンステレーションや送信器から送信する所望のチャネル符号化レートの計算、などである。実施例において上記無線通信システムの機能は、受信器に対して信号を送信する送信器に対応し、受信器から送信器に対する後続の送信パワーを調整することができる。
【００７２】
実施例において、送信器はベースステーションやアクセスポイントなどのようなネットワーク側ノードであってもよく、受信器はユーザ機器（スマートフォン、タブレット、ハンドヘルドコンピュータなど）であってもよい。ユーザ機器は、チャネル品質フィードバックなどと呼ばれるフィードバックをベースステーションに対して提供し、これによりベースステーションは、移動体システムにおける以後の送信スケジュールを調整するとともに、ユーザ機器が使用する送信パラメータを調整することができる。チャネル品質フィードバックに基づくこれら機能の調整は、当該分野において用いられている技術のいずれかを用いて実施することができる。
【００７３】
実施例において、上記調整は、受信器から送信器に対して、以後の送信におけるコンステレーション、符号化レート、または送信パワーの変更をリクエストすることを含む。実施例において、受信器は無線通信システムにおけるネットワーク側ノードであり、上記調整動作は、以後の受信器に対する送信におけるパワー調整または受信器に対する信号送信スケジュールの調整を含む。
【００７４】
図５は、無線通信装置５００のブロック図である。モジュール５０２は、通信チャネル上で複数の信号送信を受信器において受信するためのものである。この複数の信号送信は、複数の送信パワーを用いて送信される。各送信パワーは、受信器にとって未知の共通送信パワー項、および受信器にとって既知の複数の信号固有パワーオフセットを共有する。モジュール５０４は、受信器において受信パワーを測定するためのものである。モジュール５０６は、測定した受信信号パワーから対応する既知のパワーオフセットを減算し、未知の共通パワー項に対応する推定結果を得るためのものである。これにより、共通送信パワー項の複数の推定結果を得る。モジュール５０８は、共通送信パワー項の複数の推定結果から高精度共通送信パワー項を推定するためのものである。モジュール５１０は、複数の信号固有パワーオフセットを高精度共通パワー項に対して加算することにより複数の高精度測定受信信号パワーを取得するためのものである。モジュール５１２は、高精度共通送信パワー項に基づき無線通信システムの機能を調整するためのものである。装置５００、およびモジュール５０２、５０４、５０６、５０８、５１０、５１２はさらに、本文書が開示する様々な機能を実装するように構成することができる。
【００７５】
本文書が開示する技術は、ベースステーションなどのネットワーク側ノード、またはスマートフォン、タブレット、コンピュータなどのユーザ側デバイスにおいて実装することができる。実施例において、ネットワーク側機器は複数のアンテナと複数の対応する受信器を含む。さらに複数アンテナのサブセットは、同じ場所に設置されていなくともよい。これら実施例において、本文書が説明した受信器側機能は、複数アンテナの第１サブセットを用いて信号を受信することができる。上記推定パワーを用いて、以後の信号送信を受信する複数の受信器アンテナの第２サブセットを選択することができる。実施例においてアンテナの第２サブセットは、アンテナの第１サブセットと同じであってもよい。実施例において、第１セットに対してアンテナを追加しまたはアンテナを取り除いて、アンテナの第２サブセットを生成してもよい。
【００７６】
実施例において、上記推定パワーを用いて、以後の送信において用いるアンテナサブセットを選択することができる。
【００７７】
説明したパワー測定技術により、受信した信号送信タイプ間で共通な既知の成分および信号固有の未知の成分へ、測定したパワーをパラメータ化できることを、当業者は理解するであろう。既知の共通成分の推定は、受信信号を用いて実施され、受信パワー推定を全体的に改善する。
【００７８】
当業者はさらに、様々な信号送信について受信パワー推定結果をトラッキングする技術が開示されていることを理解するであろう。１側面において、第１信号の受信パワーがトラッキングされる。
【００７９】
本文書が開示したものその他の実施形態、モジュール、および機能動作（例えばパワー測定器、減算器、推定器、高精度パワー計算器、調整器、受信器など）は、デジタル電子回路内、またはコンピュータソフトウェア、ファームウェア、ハードウェア内に実装することができる。これらは本文書が開示する構造およびその等価構造、さらにはこれらの１以上の組み合わせを含む。開示する実施形態およびその他の実施形態は、１以上のコンピュータプログラム製品として実装することができる。すなわち、コンピュータ読取可能媒体に記録され、データ処理装置が実行しまたはその動作を制御する、１以上のコンピュータプログラム命令のモジュールである。コンピュータ読取可能媒体は、機械読取可能記憶装置、機械読取可能記憶基板、メモリデバイス、機械読取可能伝搬信号を生成する合成物、または・BR>アれらの１以上の組み合わせである。データ処理装置という用語は、全ての装置、デバイス、データ処理機械を包含する。これらは例えばプログラム可能プロセッサ、コンピュータ、マルチプロセッサまたはコンピュータを含む。装置は、ハードウェアに加えて、コンピュータプログラムの命令環境を生成するコードを含む。例えば、プロセッサファームウェア、プロトコルスタック、データベース管理システム、オペレーティングシステム、またはこれらの１以上の組み合わせを構成するコードである。伝搬信号は、人工生成された信号である。例えば、適当な受信装置に対して送信するために情報をコード化するように生成された、機械生成による電気的、光学的、または電磁的信号である。
【００８０】
コンピュータプログラム（プログラム、ソフトウェア、ソフトウェアアプリケーション、スクリプト、またはコードとしても知られている）は、任意形態のプログラム言語で記述することができる。これはコンパイル言語またはインタプリタ言語を含み、任意形態で配布することができる。これはスタンドアロンプログラムまたはモジュール、コンポーネント、サブルーチン、その他のコンピュータ環境において使用するのに適したユニットを含む。コンピュータプログラムは、ファイルシステムに対応している必要はない。プログラムは、他のプログラムまたはデータ（例えば、マークアップ言語文書内に格納された１以上のスクリプト）を保持する、当該プログラム専用の単一ファイル内または複数協調ファイル（例えば、１以上のモジュール、サブプログラム、またはコードの一部を格納するファイル）内におけるファイルの一部に格納することができる。コンピュータプログラムを配布して、１サイトに配置されまたは複数サイトをまたがって通信ネットワークによって相互接続配置された１以上のコンピュータによって実行することができる。
【００８１】
本文書において開示するプロセスとロジックフローは、１以上のコンピュータプログラムを実行する１以上のプログラム可能プロセッサによって実施して、入力データ上で動作し出力を生成することにより機能を実施することができる。プロセスとロジックフローは例えばＦＰＧＡ（ｆｉｅｌｄ  ｐｒｏｇｒａｍｍａｂｌｅ  ｇａｔｅ  ａｒｒａｙ）やＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）のような特定用途論理回路によって実施することもできる。装置はこれら回路として実装することもできる。
【００８２】
コンピュータプログラムを実行するのに適したプロセッサは、例えば汎用および特定用途マイクロプロセッサ、または任意タイプのデジタルコンピュータの１以上のプロセッサを含む。一般にプロセッサは、読取専用メモリまたはランダムアクセスメモリまたはこれら双方から命令とデータを受信する。コンピュータの必須要素は、命令を実施するプロセッサと、命令およびデータを格納する１以上のメモリデバイスである。一般にコンピュータはさらに、データを格納する１以上の大規模記憶デバイスを備え、またはこれらと動作可能に連結されデータを受信または送信する。例えば光磁気ディスク、または光ディスクである。しかしコンピュータはこれらデバイスを必ずしも備えなくともよい。コンピュータプログラム命令とデータを格納するのに適したコンピュータ読取可能媒体は、不揮発性メモリ、媒体、およびメモリデバイスの全ての形態を含む。これは例えば、ＥＰＲＯＭやＥＥＰＲＯＭのような半導体メモリデバイス、フラッシュメモリデバイス、例えば内部ハードディスクやリムーバブルディスクのような磁気ディスク、光磁気ディスク、ＣＤＲＯＭおよびＤＶＤ−ＲＯＭディスクを含む。プロセッサとメモリは、特定用途論理回路内によって補充され、またはその内部に設けることができる。
【００８３】
本文書は詳細記述を含むが、これらは特許請求しまたはする可能性のある本発明の範囲に対する制約として解釈すべきではない。むしろ特定実施形態に固有の構成の記述として解釈すべきである。個々の実施形態の文脈において本文書が開示する特定要素は、単一実施形態の組み合わせにおいて実装することができる。これとは反対に、単一実施形態の文脈において開示する様々な要素は、複数の実施形態またはその任意の組み合わせにおいて個別に実装することができる。さらに、要素は特定の組み合わせにおいて動作することを説明し、そのように特許請求しているが、特許請求する組み合わせからの１以上の要素は場合によっては組み合わせから除去することができる。特許請求する組み合わせは、サブ組み合わせまたはサブ組み合わせの変形物とすることができる。同様に、図面内の動作は特定順序で示したが、所望結果を実現するために、そのような動作を図示する特定順序で実施することが必要であり、また全動作を実施することが必要であると解釈すべきではない。
【００８４】
数個の例と実装のみを開示した。開示内容に基づき、説明した例および実装に対する変形、修正、拡張、その他の実装をすることも可能である。
【図１】
2016503621.tif 000023
【図２】
2016503621.tif 000024
【図３】
2016503621.tif 000025
【図４】
2016503621.tif 000026
【図５】
2016503621.tif 000027
【国際調査報告】
2016503621.tif 000028
2016503621.tif 000029
2016503621.tif 000030
2016503621.tif 000031